(57)【要約】【課題】自動洗浄機用としての所望のｐＨを有し、次亜塩素酸アルカリ金属塩の安定性、低温安定性、金属イオン封鎖力の安定性、洗浄性に優れるとともに、特に再付着防止性能、仕上がり性およびスケール生成抑制能にも優れた、界面活性剤を含まない自動洗浄機用液体洗浄剤組成物およびそれを用いた洗浄方法を提供する。【解決手段】有効成分として（Ａ）トリポリリン酸カリウム０．１〜４０質量％、（Ｂ）トリポリリン酸ナトリウム０．１〜２０質量％、（Ｃ）ＳｉＯ2 とＫ2 Ｏのモル比（ＳｉＯ2 ／Ｋ2 Ｏ）が０．５〜１のケイ酸カリウム１〜２０質量％、（Ｄ）次亜塩素酸アルカリ金属塩を有効塩素量として０．２〜３質量％を含有するとともに、水を含有する洗浄剤組成物であって、ＪＩＳ  Ｚ−８８０２：１９８４に従って０．２質量％に調製された洗浄剤組成物の水溶液の２５℃におけるｐＨが１１以上である。【選択図】なし【特許請求の範囲】
【請求項１】
有効成分として下記の（Ａ）〜（Ｄ）成分を含有するとともに、水を含有する洗浄剤組成物であって、ＪＩＳ  Ｚ−８８０２：１９８４に従って調製された上記洗浄剤組成物の０．２質量％水溶液の２５℃におけるｐＨが１１以上であることを特徴とする自動洗浄機用液体洗浄剤組成物。
（Ａ）トリポリリン酸カリウム０．１〜４０質量％。
（Ｂ）トリポリリン酸ナトリウム０．１〜２０質量％。
（Ｃ）ＳｉＯ2 とＫ2 Ｏのモル比（ＳｉＯ2 ／Ｋ2 Ｏ）が０．５〜１のケイ酸カリウム１      〜２０質量％。
（Ｄ）次亜塩素酸アルカリ金属塩を有効塩素量として０．２〜３質量％。
【請求項２】
有効成分として下記の（Ａ）〜（Ｅ）成分を含有するとともに、水を含有する洗浄剤組成物であって、ＪＩＳ  Ｚ−８８０２：１９８４に従って調製された上記洗浄剤組成物の０．２質量％水溶液の２５℃におけるｐＨが１１以上であることを特徴とする自動洗浄機用液体洗浄剤組成物。
（Ａ）トリポリリン酸カリウム０．１〜４０質量％。
（Ｂ）トリポリリン酸ナトリウム０．１〜２０質量％。
（Ｃ）ＳｉＯ2 とＫ2 Ｏのモル比（ＳｉＯ2 ／Ｋ2 Ｏ）が０．５〜１のケイ酸カリウム１      〜２０質量％。
（Ｄ）次亜塩素酸アルカリ金属塩を有効塩素量として０．２〜３質量％。
（Ｅ）水酸化カリウム１〜２０質量％。
【請求項３】
有効成分として下記の（Ａ）〜（Ｆ）成分を含有するとともに、水を含有する洗浄剤組成物であって、ＪＩＳ  Ｚ−８８０２：１９８４に従って調製された上記洗浄剤組成物の０．２質量％水溶液の２５℃におけるｐＨが１１以上であることを特徴とする自動洗浄機用液体洗浄剤組成物。
（Ａ）トリポリリン酸カリウム０．１〜４０質量％。
（Ｂ）トリポリリン酸ナトリウム０．１〜２０質量％。
（Ｃ）ＳｉＯ2 とＫ2 Ｏのモル比（ＳｉＯ2 ／Ｋ2 Ｏ）が０．５〜１のケイ酸カリウム１      〜２０質量％。
（Ｄ）次亜塩素酸アルカリ金属塩を有効塩素量として０．２〜３質量％。
（Ｅ）水酸化カリウム１〜２０質量％。
（Ｆ）高分子電解質重合体０．１〜５質量％。
【請求項４】
上記有効成分量の合計が、１０〜５０質量％である請求項１〜３のいずれか一項に記載の自動洗浄機用液体洗浄剤組成物。
【請求項５】
上記請求項１〜４のいずれか一項に記載の自動洗浄機用液体洗浄剤組成物を、０．１〜０．５質量％の洗浄剤水溶液として用い、自動洗浄機において被洗浄物を洗浄することを特徴とする洗浄方法。
【発明の詳細な説明】
【技術分野】
【０００１】
本発明は、食器、ガラス、陶磁器、金属、プラスチック等の硬表面の洗浄に適する自動洗浄機用液体洗浄剤組成物に関し、さらに詳しくは、所望のｐＨを有し、次亜塩素酸アルカリ金属塩の安定性、低温安定性、金属イオン封鎖力の安定性、洗浄性に優れるとともに、特に再付着防止性能、仕上がり性およびスケール生成抑制能にも優れた自動洗浄機用液体洗浄剤組成物およびそれを用いた洗浄方法に関する。
【背景技術】
【０００２】
従来から、ホテル、レストラン、学校、病院、飲食店、給食会社、会社の食堂等において、使用後の食器を効率よく洗浄するため、自動食器洗浄機が広く用いられている。また、食器に限らず、各種製造工場、加工工場等においても、器具や容器、流通に用いられるプラスチックコンテナ等を洗浄するために自動洗浄機が用いられている。
【０００３】
上記自動食器洗浄機用の洗浄剤組成物としては、例えば、リン酸塩を含有しない例として、ＮａＯＨまたはＫＯＨ、２−ヒドロキシエチルイミノジ酢酸塩、イソアミレンと無水マレイン酸との共重合体を必須成分として含有する硬表面洗浄剤組成物（特許文献１を参照）や、水酸化ナトリウムまたは水酸化カリウム、ニトロトリ酢酸のアルカリ金属塩およびイソアミレンと無水マレイン酸との共重合体を含有する硬表面洗浄剤（特許文献２を参照）が開示されている。
【０００４】
また、トリポリリン酸カリウム３〜４０重量％と、トリポリリン酸ナトリウム０〜１７重量％との混合物１０〜４５重量％、ＳｉＯ2 ／Ｋ2 Ｏのモル比が０．５〜１のケイ酸カリウム１〜２０重量％、ＫＯＨ０〜２０重量％、約６〜１３重量％の有効塩素を含む次亜塩素酸アルカリ塩水溶液を有効塩素として０．２〜３重量％との混合物５０重量％と、水とからなり、アルカリ金属トリポリリン酸塩の加水分解が少ない液体洗浄剤（特許文献３を参照）や、ＮａＯＨまたはＫＯＨを１０〜２５重量％、ポリアクリル酸塩１〜５重量％、および電導度０．１マイクロジ−メンス（２０℃）以下の水残部とで構成された、貯蔵時に沈澱が生じず、洗浄力、スケール付着防止効果に優れた自動食器洗浄機用液体洗剤組成物（特許文献４を参照）が開示されている。
【０００５】
さらに、非イオン界面活性剤１〜３０重量％、クエン酸塩、ゼオライト等からなるＣａイオン捕捉キレート剤１〜５０重量％、リパーゼおよびプルランに対する最適作用ｐＨが８．５〜１０で、可溶性澱粉に対する最適作用ｐＨが７〜９．５の範囲であるα−アミラーゼ活性を有するアルカリまたはアルカリ耐性ブルラーゼを含有し、０．２重量％水溶液のｐＨが７〜１０である、澱粉質、油脂および蛋白質汚れ等の複合汚れに対しても洗浄力の優れた自動食器洗浄機用洗浄剤組成物（特許文献５を参照）や、非イオン界面活性剤１〜３０重量％、Ｃａイオン捕捉キレート剤１〜５０重量％、リパーゼおよびアルカリプルラナーゼを含有し、０．２重量％の水溶液のｐＨが７〜１０である、澱粉質、油脂および蛋白質汚れ等の複合汚れに対しても洗浄力の優れた自動食器洗浄機用洗浄剤組成物が開示されている（特許文献６を参照）。
【０００６】
そして、１種または２種以上の水酸化カリウム、水酸化ナトリウム等のアルカリ剤０．５〜３０重量％と、金属イオン捕捉能を有するアクリル酸および／またはマレイン酸系の高分子物質０．５〜３０重量％と、次亜塩素酸ナトリウム等の漂白剤０．１〜１０重量％を含有し、食器類の外観を損ねることのない、洗浄効果、漂白効果に優れた自動食器洗浄機用洗浄剤組成物が開示されている（特許文献７を参照）。
【特許文献１】特開昭５８−１９８５９８号公報
【特許文献２】特開昭５９−２２７９９７号公報
【特許文献３】特公平２−２９７２０号公報
【特許文献４】特開平４−１５２９９号公報
【特許文献５】特公平６−９９７１４号公報
【特許文献６】特公平６−９９７１５号公報
【特許文献７】特開平８−１９９１９４号公報
【発明の開示】
【発明が解決しようとする課題】
【０００７】
しかしながら、これらの洗浄剤組成物は、それぞれが特定の性能を満たすに過ぎず、総合的に満足のいくものは得られていないのが実情である。また、自動洗浄機への洗浄剤供給を連続的に行うことを考慮すれば、取り扱い上、液体洗浄剤とすることが好ましいが、界面活性剤の種類によっては、洗浄剤組成物の各成分を均一に溶解させた状態で維持することができず、液体洗浄剤として調製することが困難なものもある。
【０００８】
そこで、界面活性剤を含まなくても各種食物汚れに対して優れた洗浄性能を有し、特に再付着防止性能、仕上がり性およびスケール生成抑制能とを兼ね備えた液体洗浄剤組成物の開発が強く望まれている。
【０００９】
本発明は、このような事情に鑑みなされたもので、自動洗浄機用としての所望のｐＨを有し、次亜塩素酸アルカリ金属塩の安定性、低温安定性、金属イオン封鎖力の安定性、洗浄性に優れるとともに、特に再付着防止性能、仕上がり性およびスケール生成抑制能にも優れた、界面活性剤を含まない自動洗浄機用液体洗浄剤組成物およびそれを用いた洗浄方法の提供をその目的とする。
【課題を解決するための手段】
【００１０】
上記の目的を達成するため、本発明は、有効成分として下記の（Ａ）〜（Ｄ）成分を含有するとともに、水を含有する洗浄剤組成物であって、ＪＩＳ  Ｚ−８８０２：１９８４に従って調製された上記洗浄剤組成物の０．２質量％水溶液の２５℃におけるｐＨが１１以上である自動洗浄機用液体洗浄剤組成物を第１の要旨とする。
（Ａ）トリポリリン酸カリウム０．１〜４０質量％。
（Ｂ）トリポリリン酸ナトリウム０．１〜２０質量％。
（Ｃ）ＳｉＯ2 とＫ2 Ｏのモル比（ＳｉＯ2 ／Ｋ2 Ｏ）が０．５〜１のケイ酸カリウム１      〜２０質量％。
（Ｄ）次亜塩素酸アルカリ金属塩を有効塩素量として０．２〜３質量％。
【００１１】
また、本発明は、有効成分として下記の（Ａ）〜（Ｅ）成分を含有するとともに、水を含有する洗浄剤組成物であって、ＪＩＳ  Ｚ−８８０２：１９８４に従って調製された上記洗浄剤組成物の０．２質量％水溶液の２５℃におけるｐＨが１１以上である自動洗浄機用液体洗浄剤組成物を第２の要旨とする。
（Ａ）トリポリリン酸カリウム０．１〜４０質量％。
（Ｂ）トリポリリン酸ナトリウム０．１〜２０質量％。
（Ｃ）ＳｉＯ2 とＫ2 Ｏのモル比（ＳｉＯ2 ／Ｋ2 Ｏ）が０．５〜１のケイ酸カリウム１      〜２０質量％。
（Ｄ）次亜塩素酸アルカリ金属塩を有効塩素量として０．２〜３質量％。
（Ｅ）水酸化カリウム１〜２０質量％。
【００１２】
さらに、本発明は、有効成分として下記の（Ａ）〜（Ｆ）成分を含有するとともに、水を含有する洗浄剤組成物であって、ＪＩＳ  Ｚ−８８０２：１９８４に従って調製された上記洗浄剤組成物の０．２質量％水溶液の２５℃におけるｐＨが１１以上である自動洗浄機用液体洗浄剤組成物を第３の要旨とする。
（Ａ）トリポリリン酸カリウム０．１〜４０質量％。
（Ｂ）トリポリリン酸ナトリウム０．１〜２０質量％。
（Ｃ）ＳｉＯ2 とＫ2 Ｏのモル比（ＳｉＯ2 ／Ｋ2 Ｏ）が０．５〜１のケイ酸カリウム１      〜２０質量％。
（Ｄ）次亜塩素酸アルカリ金属塩を有効塩素量として０．２〜３質量％。
（Ｅ）水酸化カリウム１〜２０質量％。
（Ｆ）高分子電解質重合体０．１〜５質量％。
【００１３】
そして、本発明は、上記第１〜第３のいずれかの要旨である自動洗浄機用液体洗浄剤組成物のなかでも、特に、上記有効成分量の合計が、１０〜５０質量％であるものを第４の要旨とし、上記第１〜第４のいずれかの要旨である自動洗浄機用液体洗浄剤組成物を、０．１〜０．５質量％の洗浄剤水溶液として用い、自動洗浄機において被洗浄物を洗浄する洗浄方法を第５の要旨とする。
【発明の効果】
【００１４】
すなわち、本発明の洗浄剤組成物は、上記特殊な組成を備えているため、ｐＨ１１以上という特定のｐＨ領域において、次亜塩素酸アルカリ金属塩の安定性、低温安定性、金属イオン封鎖力の安定性、洗浄性に優れ、特に再付着防止性能、仕上がり性およびスケール生成抑制能にも優れている。
【００１５】
しかも、従来の洗浄剤組成物に比べて、界面活性剤を含まなくても各種食物汚れに対して優れた洗浄性能を有し、再付着防止性能、スケール生成抑制能にも優れ、また、高分子電解質重合体を配合した場合であっても所望の次亜塩素酸アルカリ金属塩の安定性を確保することができる。
【００１６】
したがって、本洗浄剤組成物は、ガラス、陶磁器、金属、プラスチック等の硬表面の洗浄用途に適している。また、食器に限らず、各種製造工場，加工工場等における器具や容器、流通に用いられるプラスチックコンテナ等を洗浄するための自動洗浄機用途としても使用可能である。このほか、食品工場・食品加工工場等のタイル、床等の硬表面の洗浄、飲料用のガラス瓶・ビール瓶等の容器洗浄、金属表面洗浄にも好ましく用いることができる。特に、ホテル、レストラン、学校、病院、飲食店、給食会社、会社の食堂等における自動食器洗浄機に用いるのに好適である。
【発明を実施するための最良の形態】
【００１７】
つぎに、本発明を実施するための最良の形態を詳細に説明する。
【００１８】
まず、本発明の自動洗浄機用液体洗浄剤組成物（以下「本洗浄剤組成物」という）は、（Ａ）トリポリリン酸カリウム、（Ｂ）トリポリリン酸ナトリウム、（Ｃ）ＳｉＯ2 とＫ2 Ｏのモル比（ＳｉＯ2 ／Ｋ2 Ｏ）が０．５〜１のケイ酸カリウム、（Ｄ）次亜塩素酸アルカリ金属塩の４成分を有効成分として含有するとともに、水を含有するものである。また、本洗浄剤組成物には、必要に応じて、有効成分として、上記（Ａ）〜（Ｄ）とともに、（Ｅ）水酸化カリウムを含有させることができる。さらにまた、必要に応じて、有効成分として、上記（Ａ）〜（Ｅ）とともに、（Ｆ）高分子電解質重合体を含有させることができる。
【００１９】
上記（Ａ）成分であるトリポリリン酸カリウムとしては、常用されている、粉末状、粒状、顆粒状等のトリポリリン酸カリウムを用いることができる。上記トリポリリン酸カリウムは、本洗浄剤組成物全体に対し、０．１〜４０質量％の範囲で配合される。配合量が０．１質量％未満では、低温安定性に劣るものとなり、４０質量％を超えて配合した場合には、他の成分とのバランスから所望の性能が得られなくなる。また、特にトリポリリン酸カリウムは、（Ｂ）成分であるトリポリリン酸ナトリウムと併用することにより、トリポリリン酸ナトリウムの溶解度を高めることができるため、トリポリリン酸ナトリウムを高濃度で配合させることができる。そして、上記トリポリリン酸カリウムを３質量％未満の少量で用いた場合に、洗浄力と仕上がり性に優れるとともに、特に、貯蔵時における外観（色の変化）と、（Ｄ）成分として用いる次亜塩素酸ナトリウムの安定性が顕著に優れたものとなり、好適である。
【００２０】
上記（Ｂ）成分であるトリポリリン酸ナトリウムとしては、常用されている、粉末状、粒状、顆粒状等のトリポリリン酸ナトリウムを用いることができる。上記トリポリリン酸ナトリウムは、本洗浄剤組成物全体に対し、０．１〜２０質量％の範囲で配合される。配合量が２０質量％を超えると、他成分とのバランスから所望の性能が得られなくなる。なかでも、他の成分とのバランスから０．１〜１５質量％の範囲であることが好ましい。
【００２１】
なお、工業的に製造されるトリポリリン酸カリウムやトリポリリン酸ナトリウム等のトリポリリン酸塩には、通常、オルソリン酸塩、ピロリン酸塩、高度縮合リン酸塩等が含まれており、これら副生成物は、低温安定性や洗浄剤組成物の変色に影響を与えるため、本洗浄剤組成物の（Ａ）成分および（Ｂ）成分としては、これら副生成物の量を可能な限り少なく抑えたものを用いることが望ましい。
【００２２】
また、上記（Ｃ）成分であるＳｉＯ2 とＫ2 Ｏのモル比（ＳｉＯ2 ／Ｋ2 Ｏ）が０．５〜１のケイ酸カリウムとしては、市販のメタケイ酸カリウム、オルソケイ酸カリウムを用いることができる。あるいは、二酸化珪素（ＳｉＯ2 ）と水酸化カリウム（ＫＯＨ）とを予め混合するか、適宜、他成分とともにこれらの２成分を順次添加することにより、ＳｉＯ2 とＫ2 Ｏのモル比が上記の範囲内となるような、任意のケイ酸カリウムを調製してもよい。
【００２３】
上記（Ｃ）成分であるケイ酸カリウムは、本洗浄剤組成物全体に対し、１〜２０質量％の範囲で配合される。配合量が１質量％未満では、（Ｄ）成分である次亜塩素酸アルカリ金属塩の安定性に乏しく、また所望の茶渋汚れに対する洗浄力が得られない。一方、２０質量％を超えて配合した場合にも、上記次亜塩素酸アルカリ金属塩の安定性が乏しくなるとともに、低温安定性が得られないものとなる。なかでも、他の成分とのバランスから１〜１０質量％の範囲であることが好ましい。
【００２４】
上記（Ｄ）成分である次亜塩素酸アルカリ金属塩としては、常用されている１２質量％の次亜塩素酸ナトリウム、６質量％の次亜塩素酸ナトリウム等があげられ、なかでも、低食塩濃度の次亜塩素酸ナトリウムが好ましい。そして、本洗浄剤組成物全体に対し、有効塩素量として０．２〜３質量％の次亜塩素酸アルカリ金属塩が配合される。なかでも、他の成分とのバランスから０．５〜１．５質量％の範囲であることが好ましい。
【００２５】
そして、上記（Ｅ）成分である水酸化カリウムとしては、常用されている、液体状、粒状、顆粒状、フレーク状等の水酸化カリウムを用いることができる。上記水酸化カリウムは、必要に応じて任意に配合することのできる有効成分であり、本洗浄剤組成物全体に対し、１〜２０質量％の範囲で配合することができる。配合量が２０質量％を超えると、他成分とのバランスから所望の性能に乏しくなる。なかでも、他の成分とのバランスから４〜１０質量％の範囲であることが好ましい。
【００２６】
さらに、上記（Ｆ）成分である高分子電解質重合体としては、ポリアクリル酸またはそのアルカリ金属塩等、メチルビニルエーテルとマレイン酸の共重合体またはそのアルカリ金属塩等、アクリル酸とマレイン酸の共重合体またはそのアルカリ金属塩等、炭素数が５個のオレフィンとマレイン酸の共重合体またはそのアルカリ金属塩等、ポリスチレンスルホン酸とマレイン酸の共重合体またはそのアルカリ金属塩等、アクリル酸と２−ヒドロキシ−３−アリロキシプロパンスルホン酸との共重合体またはそのアルカリ金属塩等があげられる。これらのアルカリ金属塩は、部分中和物であってもよい。
【００２７】
また、上記（Ｆ）成分である高分子電解質重合体の平均分子量は、スケール付着抑制能の点から、例えばポリアクリル酸またはそのアルカリ金属塩等においては１，０００〜６０，０００であることが好ましく、より好ましくは２，０００〜１５，０００である。また、アクリル酸とマレイン酸の共重合体またはそのアルカリ金属塩等である場合には、３０，０００〜１５０，０００であることが好ましく、より好ましくは４０，０００〜８０，０００である。
【００２８】
上記高分子電解質重合体は、単独で用いても２種以上を組み合わせて用いてもよい。そして、このものは、必要に応じて任意に配合することのできる有効成分であり、本洗浄剤組成物全体に対し、０．１〜５質量％、好ましくは０．５〜３質量％の範囲で配合することができる。この配合量が０．１質量％未満では、被洗物の洗浄性能、仕上がり性およびスケール付着抑制能を向上させる効果が充分ではない。一方、５質量％を超えると、他成分とのバランスや経済性の点から好ましくない。また、上記高分子電解質重合体の残存モノマー量は、次亜塩素酸アルカリ金属塩の貯蔵安定性の点から０．５質量％以下が好ましく、より好ましくは０．１質量％以下であることが好ましい。
【００２９】
そして、上記（Ａ）〜（Ｄ）成分、またはこれに（Ｅ）成分もしくは（Ｅ）成分と（Ｆ）成分を加えた有効成分量の合計は、本洗浄剤組成物全体に対し、１０〜５０質量％となることが好ましい。すなわち、１０質量％未満では、洗浄剤組成物がコンパクトなものとならず、大きな保管スペースを要するものとなり、また、各種汚れに対しての洗浄力およびスケール生成抑制能に乏しいものとなるおそれがあるからである。一方、５０質量％を超えると、リン酸塩の加水分解が促進されるとともに、低温安定性が乏しくなるおそれがある。
【００３０】
そして、本洗浄剤組成物は、水によって液体として調製される。上記水としては、純水、イオン交換水、軟水、蒸留水、水道水等があげられる。これらは、単独で用いても２種以上を組み合わせて用いてもよい。なかでも、経済性及び貯蔵安定性の点から、水道水、イオン交換水が好ましく用いられる。
【００３１】
なお、上記「水」は、本発明の洗浄剤組成物を構成する各成分に由来する結晶水や水溶液の形で含まれる水と、その他の外から加えられる水との総和であり、組成物全体が１００％となるよう、上記有効成分や適宜添加される他の任意成分を除く残質量％配合される。
【００３２】
上記適宜添加される任意成分としては、ｐＨ調整剤、香料、金属腐食抑制剤、殺菌剤、消臭剤、帯電防止剤等があげられる。
【００３３】
上記各成分を用いて得られる本洗浄剤組成物は、ＪＩＳ  Ｚ−８８０２：１９８４に従い、０．２質量％に調製された洗浄剤組成物の水溶液の２５℃におけるｐＨが、１１以上でなければならない。すなわち、本洗浄剤組成物は、ｐＨ１１以上において、油脂汚れや蛋白質汚れの洗浄性能に優れるとともに、次亜塩素酸ナトリウムの安定性に優れるという特徴を備えている。
【００３４】
このように、本洗浄剤組成物は、ｐＨ１１以上の液体洗浄剤組成物であり、次亜塩素酸アルカリ金属塩の安定性、低温安定性、金属イオン封鎖力の安定性、洗浄性に優れ、特に再付着防止性能、仕上がり性およびスケール生成抑制能にも優れている。
【００３５】
しかも、従来の洗浄剤組成物に比べて、界面活性剤を含まなくても各種食物汚れに対して優れた洗浄性能を有し、再付着防止性能、スケール生成抑制能にも優れ、また、高分子電解質重合体を配合した場合であっても所望の次亜塩素酸アルカリ金属塩の安定性を確保することができる。
【００３６】
したがって、本洗浄剤組成物は、ガラス、陶磁器、金属、プラスチック等の硬表面の洗浄用途に適している。また、食器に限らず、各種製造工場，加工工場等における器具や容器、流通に用いられるプラスチックコンテナ等を洗浄するための自動洗浄機用途としても使用可能である。このほか、食品工場・食品加工工場等のタイル、床等の硬表面の洗浄、飲料用のガラス瓶・ビール瓶等の容器洗浄、金属表面洗浄にも好ましく用いることができる。特に、ホテル、レストラン、学校、病院、飲食店、給食会社、会社の食堂等における自動食器洗浄機に用いるのに好適である。
【００３７】
なお、本洗浄剤組成物は、汚れの種類や汚れの量（程度）、洗浄に用いられる水道水の水質等を考慮して、０．１５〜０．５質量％の洗浄剤水溶液として、自動洗浄機に供給することにより、特に食器および調理器具に対して、優れた仕上がり効果を得ることができる。
【実施例】
【００３８】
つぎに、実施例について比較例と併せて説明する。
【００３９】
〔実施例１〜３２、比較例１〜１５〕
後記の表１〜表１２に示す組成の自動洗浄機用液体洗浄剤組成物を調製し、そのｐＨ、次亜塩素酸ナトリウムの安定性、低温安定性、金属イオン封鎖力の安定性、洗浄力、再付着防止性能、仕上がり性およびスケール生成抑制能の８項目について評価した。その結果を後記の表１〜表１２に併せて示す。なお、各項目の試験方法、評価方法は、以下に示すとおりである。そして、表中の「水」は、液体洗浄剤組成物を構成する各種成分に由来する結晶水や水溶液の形で含まれる水と外から加えられる水との総和であり、洗浄剤組成物全体が１００質量％となるようバランスとして示される。
【００４０】
なお、後記の表１〜表１２において用いた各種成分とその有効純分（質量％）の詳細は、下記の通りであり、表中の数値は、有効純分１００質量％に換算して示したものである。
【００４１】
・高分子電解質重合体１（Ｆ成分）：
ポリアクリル酸ナトリウム（純分４５％、平均分子量４，５００）
商品名：アキュゾール４４５Ｎ、ロームアンドハース社製
・高分子電解質重合体２（Ｆ成分）：
ポリアクリル酸ナトリウム（純分４５％、平均分子量８，０００）
商品名：ソカラン３０ＣＬ、ＢＡＳＦ社製
・高分子電解質重合体３（Ｆ成分）：
ポリアクリル酸ナトリウム（純分４５％、平均分子量４，０００）
商品名：ソカラン２５ＣＬ、ＢＡＳＦ社製
・高分子電解質重合体４（Ｆ成分）：
ポリアクリル酸ナトリウム（純分４３％、平均分子量２，０００）
商品名：アロンＡ−２１０、東亞合成社製
・高分子電解質重合体５（Ｆ成分）：
アクリル酸マレイン酸共重合体のナトリウム塩（純分３５％、平均分子量４０，００    ０）
商品名：アキュゾール５０５Ｎ、ロームアンドハース社製
・高分子電解質重合体６（Ｆ成分）：
ポリ−α−ヒドロキシポリアクリル酸ナトリウム（純分３０％、平均分子量１０，０    ００〜１４，０００）
商品名：ペールブラック１２００、日本パーオキサイド社製
・高分子電解質重合体７（Ｆ成分）：
アクリル酸−２−ヒドロキシ−３−アリロキシプロパンスルホン酸ナトリウム（純分    ５０％、平均分子量３，０００）
商品名：アクアリックＧＬ２４６、日本触媒社製
・高分子電解質重合体８（Ｆ成分）：
アクリル酸−２−ヒドロキシ−３−アリロキシプロパンスルホン酸ナトリウム（純分    ５０％、平均分子量６，０００）
商品名：アクアリックＧＬ３６６、日本触媒社製
【００４２】
〔ｐＨ〕
・試験方法
ＪＩＳ  Ｚ−８８０２：１９８４に従い、０．２質量％に調製された洗浄剤組成物の水溶液の２５℃におけるｐＨを測定し、下記の評価基準で評価した。
【００４３】
・評価基準
○：ｐＨが１１以上である。
×：ｐＨが１１未満である。
【００４４】
〔次亜塩素酸ナトリウムの安定性〕
・試験方法
供試洗浄剤組成物を２５０ｍｌのポリプロピレン製容器に入れ、３８℃にて１ヶ月間保存し、残存する有効塩素を下記の方法で測定し、調製直後の有効塩素量を１００（％）として、その比率を、有効塩素の残存率（％）として求め、次亜塩素酸ナトリウムの安定性を下記の評価基準に従い評価した。
【００４５】
・有効塩素測定法
供試試料３ｇを２００ｍｌ三角フラスコに取り、それに１０質量％ヨウ素ヨウ化カリウム溶液１５ｍｌ、（１＋１）硫酸１０ｍｌを添加し、冷暗所に３分間静置してヨウ素を遊離させ、次に０．１Ｎチオ硫酸ナトリウム規定液でヨウ素の黄色が消失するまで滴定し、次式から算出する。
【００４６】
【数１】
2006199723.tif 000002
【００４７】
・評価基準
◎：残存率が７０％以上。
○：残存率が５０％以上、７０％未満。
△：残存率が３０％以上、５０％未満。
×：残存率が３０％未満。
【００４８】
〔低温安定性〕
・試験方法
供試洗浄剤組成物を２５０ｍｌのポリプロピレン製容器に入れ、その液温が２４時間で＋５℃〜−５℃のサイクルを描くように冷却、昇温する運転を１００日間連続して行い、結晶析出の有無を調べ、下記の評価基準により低温安定性を評価した。
【００４９】
・評価基準
◎：１００日後も析出が認められなかった。
○：６０日目から９９日目の間に析出が認められた。
△：３０日目から５９日目の間に析出が認められた。
×：２９日目までに析出が認められた。    
【００５０】
〔金属イオン封鎖力の安定性〕
供試洗浄剤組成物を２５０ｍｌのポリプロピレン製容器に入れ、３８℃にて３ヶ月間保存し、残存する金属イオン封鎖力を下記の方法で測定し、調製直後の金属イオン封鎖力を１００（％）として、その比率を、金属イオン封鎖力の残存率（％）として求め、安定性を下記の評価基準に従い評価した。
【００５１】
・金属イオン封鎖力測定方法
供試洗浄剤組成物の０．１５％溶液６０ｇを、１００ｍｌビーカーに取り、ｐＨ緩衝液１ｍｌ、エリオクロムブラックＴ指示薬およびチオ硫酸ナトリウムを添加し、平沼産業株式会社製の自動滴定装置を用いて、濃度既知の塩化カルシウム溶液で自動的滴定し、次式から算出する。
【００５２】
【数２】
2006199723.tif 000003
【００５３】
・評価基準
◎：残存率が７０％以上。
○：残存率が５０％以上、７０％未満。
△：残存率が３０％以上、５０％未満。
×：残存率が３０％未満。
【００５４】
〔洗浄力〕
・試験方法
調製された洗浄剤組成物を業務用の自動食器洗浄機（ＤＷ−ＲＤ６１、三洋電機社製）に投入し、下記の運転条件で運転した。そして、下記の被洗浄物である陶器皿を１０枚１組として洗浄し、その洗浄性能を下記の評価基準で評価した。なお、汚れとして牛脂、上新粉、カレー、卵黄、茶渋を用意し、それぞれの汚れに対して洗浄性試験を行った。
【００５５】
＊運転条件
洗剤濃度    ：０．２質量％
洗浄温度    ：６０℃
すすぎ温度  ：８０℃
洗浄コース  ：標準洗浄サイクル（洗浄：４３秒、すすぎ：１５秒）
水道水の硬度：（ＣａＣＯ3 として）７０〜８０ｍｇ／Ｌ
牛脂汚れ    ：精製牛脂を用いた。
上新粉汚れ  ：上新粉２５に対し水７５を加え、途中かき混ぜながら２０分間煮沸し、の              り状としたものを用いた。
カレー汚れ  ：市販のレトルトカレー（ボンカレー〔登録商標〕、大塚製薬社製）を用い              た。
卵汚れ    ：卵黄のみをとりわけ、よくかき混ぜて用いた。
茶渋汚れ    ：粉茶５０ｇを１Ｌのお湯の中に入れ１時間煮立てたものを用いた。
被洗浄物    ：直径１０ｃｍの陶器皿に上記汚れを４ｇ／枚となるように付着させ、常温              で１時間乾燥させたものを用いた。また、茶渋汚れについては、陶磁器皿              の表面を♯１８０のサンドペーパーで傷をつけ、そこに茶渋汚れ１０ｇを              のせ、１００℃の乾燥機に入れ、水分を完全に除去したものを用いた。
【００５６】
・評価基準
◎：９０％以上の汚れ除去。
○：７０％以上、９０％未満の汚れ除去。
△：５０％以上、７０％未満の汚れ除去。
×：５０％未満の汚れ除去。
【００５７】
〔再付着防止性能〕
・試験方法  
汚れとしてオイルレッド（スダンＩＶ）で着色したサラダ油３０ｇを、業務用の自動食器洗浄機（ＤＷ−ＲＤ６１、三洋電機社製）の洗浄タンクに投入し、清浄なメラミン製皿を配置した洗浄ラックを上記自動食器洗浄機内にセットして、供試洗浄剤組成物を用いて下記の運転条件で運転した後、清浄なメラミン製皿への汚れの付着度合いを目視で確認し、下記の評価基準で評価した。
【００５８】
＊運転条件
洗剤濃度    ：０．２質量％
洗浄温度    ：６０℃
すすぎ温度  ：８０℃
洗浄コース  ：標準洗浄サイクル（洗浄：４３秒、すすぎ：１５秒）
水道水の硬度：（ＣａＣＯ3 として）７０〜８０ｍｇ／Ｌ
【００５９】
・評価基準
◎：清浄な皿に汚れが全く付着していない。
○：清浄な皿に汚れがほとんど付着していない。
△：清浄な皿に汚れが付着する。
×：清浄な皿に汚れがかなり付着する。  
【００６０】
〔仕上がり性〕
・試験方法
調製された洗浄剤組成物を業務用の自動食器洗浄機（ＤＷ−ＲＤ６１、三洋電機社製）に投入し、下記の条件で運転した。そして、後記に示す被洗浄物であるガラスコップを１０個１組として洗浄し、洗浄後の仕上がり性能を下記の評価基準で評価した。
【００６１】
＊運転条件
洗剤濃度    ：０．２質量％
洗浄温度    ：６０℃
すすぎ温度  ：８０℃
洗浄コース  ：標準洗浄サイクル（洗浄：４３秒、すすぎ１５秒）
使用水の硬度：（ＣａＣＯ3 として）７０〜８０ｍｇ／Ｌ
被洗浄物    ：８オンス（２２５ｍｌ）のガラスコップ（佐々木硝子社製）に牛乳を注いだ後、５分間放置した。ついで、牛乳を捨てた後、水ですすぐことなく３０分間風乾した。
【００６２】
・評価基準
◎：ウォータースポットが全くみられない。
○：ウォータースポットが１〜２個みられる。
△：ウォータースポットが３〜５個みられる。
×：ウォータースポットが６個以上みられる。
【００６３】
〔スケール生成抑制能〕
・試験方法
人工硬水（総硬度：ＣａＣＯ3 として２５０ｍｇ／Ｌ）を用いて、洗浄剤組成物を０．０５質量％に希釈し、容量１００ｍｌの比色管に５０ｍｌを注ぎ、６０℃で２４時間保持した後、スケールの生成量を目視で、下記の評価基準で評価した。
【００６４】
・評価基準
◎：スケールの生成がなかった。
○：スケール生成がほとんどなかった。
△：スケールの生成があった。
×：スケール付着が著しかった。
【００６５】
【表１】
2006199723.tif 000004
【００６６】
【表２】
2006199723.tif 000005
【００６７】
【表３】
2006199723.tif 000006
【００６８】
【表４】
2006199723.tif 000007
【００６９】
【表５】
2006199723.tif 000008
【００７０】
【表６】
2006199723.tif 000009
【００７１】
【表７】
2006199723.tif 000010
【００７２】
【表８】
2006199723.tif 000011
【００７３】
【表９】
2006199723.tif 000012
【００７４】
【表１０】
2006199723.tif 000013
【００７５】
【表１１】
2006199723.tif 000014
【００７６】
【表１２】
2006199723.tif 000015
【００７７】
上記の結果から、実施例品はいずれも、上記全ての評価項目において、優れた特性を示すことがわかる。
【００７８】
また、供試洗浄剤組成物を２５０ｍｌのポリプロピレン製容器に入れ、３７℃の恒温下に３ヶ月配置したときの外観（色の変化）を観察したところ、供試洗浄剤組成物のうち実施例品１、４、５および６のものにおいては、全く色の変化を生じなかったが、それ以外のものは、ごくわずかな変色が認められた。
【００７９】
さらに、上記次亜塩素酸ナトリウムの安定性について、さらに３ヶ月後の安定性を確認したところ、供試洗浄剤組成物のうち実施例品１、４、５および６のものにおいては、安定性の低下が認められなかったが、それ以外のものは、わずかに安定性の低下傾向が認められた。
【００８０】
つまり、トリポリリン酸カリウムの配合量を３質量％未満の少量の範囲で用いた場合には、特に、貯蔵時における外観（色の変化）と次亜塩素酸ナトリウムの安定性が顕著に優れたものとなることがわかった。